(57)【要約】      （修正有）【課題】作業者への負担が少ない、作業性の良好な草履編み台を提供する。【解決手段】草履編み台１０は、基台１１ならびに１３と、基台１３の反作業者側に設けられ、作業台１５の端に引っ掛けられるフック部１３ｆと、基台１１に設けられ、草履材料である紐が掛けられる紐掛け部１２ａ〜１２ｄとを備えている。【選択図】図１
0003137919.tif 000002
【実用新案登録請求の範囲】
【請求項１】
基台と、
前記基台の反作業者側に設けられ、作業台の端に引っ掛けられるフック部と、
前記基台に設けられ、草履材料である紐が掛けられる紐掛け部と、を備えたことを特徴とする草履編み台。
【請求項２】
前記紐掛け部は、前記基台の作業者側に設けられることを特徴とする請求項１に記載の草履編み台。
【請求項３】
前記紐掛け部は、少なくとも一部が前記基台の反作業者側に傾斜されることを特徴とする請求項１又は２に記載の草履編み台。
【請求項４】
前記紐掛け部は、前記基台の反作業者側に突出する凸部を有することを特徴とする請求項１、２又は３に記載の草履編み台。
【請求項５】
前記紐掛け部は、前記基台の反作業者側に屈曲形成された略Ｌ字形状の先端部を有することを特徴とする請求項１乃至４のいずれか１項に記載の草履編み台。
【請求項６】
前記基台の上面には凹部が形成され、前記凹部内に前記紐掛け部が配設されることを特徴とする請求項１乃至５のいずれか１項に記載の草履編み台。
【請求項７】
前記紐掛け部が、前記基台の上面から突出しないように前記凹部内に配設されていることを特徴とする請求項６に記載の草履編み台。
【請求項８】
前記基台が、前記紐掛け部を有する第１の部材と、前記フック部を有して前記第１の部材に対して相対移動が可能な第２の部材と、を備えて構成され、
更に、前記第１の部材と前記第２の部材を相対移動不能に固定する固定具を備えることを特徴とする請求項１乃至７のいずれか１項に記載の草履編み台。
【請求項９】
前記固定具は、前記第１の部材と前記第２の部材を複数の相対位置で固定することを特徴とする請求項８に記載の草履編み台。
【請求項１０】
前記第２の部材の少なくとも一部が、
前記第１の部材に設けられた収容空間に収納可能であることを特徴とする、
請求項８または９に記載の草履編み台。
【請求項１１】
前記第２の部材は、前記フック部を前記作業台側に向けた使用状態と、前記フック部を反作業台側に向けた未使用状態を切り替え可能となっていることを特徴とする請求項８、９または１０に記載の草履編み台。
【請求項１２】
前記未使用状態における前記第２の部材に配置される前記フック部が、前記第１の部材の上面から突出しないことを特徴とする請求項１１に記載の草履編み台。
【請求項１３】
前記フック部が、
前記基台の作業者側に屈曲形成された略Ｌ字形状の先端部を有することを特徴とする、
請求項１乃至１２のいずれか１項に記載の草履編み台。
【考案の詳細な説明】
【技術分野】
【０００１】
本考案は草履編み台に関し、特に作業者への負担が少なく、作業性の良好な草履編み台に関する。
【背景技術】
【０００２】
従来、草履編みは、作業者が足を投げ出した状態で床に座り、その足に紐を掛け、その紐を片手で引っ張りながらもう片方の手で編んでいくという方法が主流であった。しかし、このような従来の方法では、作業者が前傾姿勢となり、作業負担が大きいため、作業者の負担が少ない草履編み台の開発が期待されていた。
【０００３】
そこで、略Ｌ字状の板の長辺部に作業者が座り、短辺部先端に設けられた複数の突起部に紐を掛け、草履を編んでいく草履編み台が考案されている（例えば、特許文献１参照）。
【０００４】
また、初心者でも簡単に草履が編めるように、草履を編む際のガイドとなるフックを備えると同時に、机上でも編めるように小型化した草履の手編み台が考案されている（例えば、特許文献２参照）。
【０００５】
さらに、略Ｌ字状の草履編み台と補助具を組み合わせて、草履の形態を安定させると同時に、異なる大きさの草履を編むことが出来る草履の手編み用補助具及び草履の手編み具が考案されている（例えば、特許文献３参照）。
【０００６】
さらに、編み台の前後に紐掛け部を設け、両手での作業を実現すると同時に、草履型線ならびに紐掛け番号を表示し、初心者でも容易に草履を編むことが出来る小型の編み台が考案されている（例えば、特許文献４参照）。
【特許文献１】実用新案登録第３１１４２０１号公報
【特許文献２】実用新案登録第３０８４１０５号公報
【特許文献３】実用新案登録第３１１６４８６号公報
【特許文献４】実用新案登録第３１１９９７４号公報
【考案の開示】
【考案が解決しようとする課題】
【０００７】
しかしながら、特許文献１ならびに３に記載の草履編み台では、草履を編む際に、突起部に引っ掛けた草履材料である紐が外れ易いという欠点があった。
【０００８】
また、特許文献２に記載の草履の手編み台では、サイズを小さくすることによって、机上での作業を可能とし、作業者の負担を軽減しているが、裏面に施された滑り止めだけでは、作業中に台がずれ、作業性が低下するという問題があった。
【０００９】
また、特許文献４に記載の草履を手編みするために用いる編み台では、初心者でも容易に草履が編めるよう様々な工夫がなされているが、これも同様に作業中に編み台がずれてしまうという問題があった。
【００１０】
本考案は、斯かる実情に鑑み、作業者への負担が少なく、作業性の良好な草履編み台を提供しようとするものである。
【課題を解決するための手段】
【００１１】
本考案は、以下の手段によって、上記課題を解決するものである。
【００１２】
（１）基台と、前記基台の反作業者側に設けられ、作業台の端に引っ掛けられるフック部と、前記基台に設けられ、草履材料である紐が掛けられる紐掛け部と、を備えたことを特徴とする草履編み台。
【００１３】
（２）前記紐掛け部は、前記基台の作業者側に設けられることを特徴とする上記（１）に記載の草履編み台。
【００１４】
（３）前記紐掛け部は、少なくとも一部が前記基台の反作業者側に傾斜されることを特徴とする上記（１）又は（２）に記載の草履編み台。
【００１５】
（４）前記紐掛け部は、前記基台の反作業者側に突出する凸部を有することを特徴とする上記（１）、（２）又は（３）に記載の草履編み台。
【００１６】
（５）前記紐掛け部は、前記基台の反作業者側に屈曲形成された略Ｌ字形状の先端部を有することを特徴とする上記（１）乃至（４）のいずれか１項に記載の草履編み台。
【００１７】
（６）前記基台の上面には凹部が形成され、前記凹部内に前記紐掛け部が配設されることを特徴とする上記（１）乃至（５）のいずれか１項に記載の草履編み台。
【００１８】
（７）前記紐掛け部が、前記基台の上面から突出しないように前記凹部内に配設されていることを特徴とする上記（６）に記載の草履編み台。
【００１９】
（８）前記基台が、前記紐掛け部を有する第１の部材と、前記フック部を有して前記第１の部材に対して相対移動が可能な第２の部材と、を備えて構成され、更に、前記第１の部材と前記第２の部材を相対移動不能に固定する固定具を備えることを特徴とする上記（１）乃至（７）のいずれか１項に記載の草履編み台。
【００２０】
（９）前記固定具は、前記第１の部材と前記第２の部材を複数の相対位置で固定することを特徴とする上記（８）に記載の草履編み台。
【００２１】
（１０）前記第２の部材の少なくとも一部が、前記第１の部材に設けられた収容空間に収納可能であることを特徴とする上記（８）または（９）に記載の草履編み台。
【００２２】
（１１）前記第２の部材は、前記フック部を前記作業台側に向けた使用状態と、前記フック部を反作業台側に向けた未使用状態を切り替え可能となっていることを特徴とする上記（８）、（９）または（１０）に記載の草履編み台。
【００２３】
（１２）前記未使用状態における前記第２の部材に配置される前記フック部が、前記第１の部材の上面から突出しないことを特徴とする上記（１１）に記載の草履編み台。
【００２４】
（１３）前記フック部が、前記基台の作業者側に屈曲形成された略Ｌ字形状の先端部を有することを特徴とする、上記（１）乃至（１２）のいずれか１項に記載の草履編み台。
【考案の効果】
【００２５】
本考案に係る草履編み台によれば、編み台が作業台に固定され、草履の材料である紐が外れにくくなるため、作業性が向上するという優れた効果を奏し得る。また、作業者が椅子に座り、机上で作業が行えるようになるため、編み台を使用しない場合と比較して、作業者への負担が格段に軽減される。
【考案を実施するための最良の形態】
【００２６】
以下、図面を用いて、本考案の実施の形態に係る草履編み台１０について詳細に説明する。
【００２７】
まず初めに、草履編み台１０の全体構成について説明する。
【００２８】
図１は、草履編み台１０の全体構造詳細図である。図１に示すように、草履編み台１０は、４つの紐掛け部１２ａ〜１２ｄを有する第１の部材１１と、第１の部材１１に対して長手方向(図１の矢印方向)へ相対移動が可能な第２の部材１３と、第１の部材１１と第２の部材１３を複数の相対位置で固定することが可能な固定具１４と、から構成されている。
【００２９】
第１の部材１１は、上面の長手方向両側に凹部が設けられ、上面中央部を凸部とした立体形状を有している。また、この第１の部材１１の材質には、木材が使用されている。第１の部材１１の一端側近傍には、４つの紐掛け部１２ａ〜１２ｄが、第１の部材１１の幅方向に略等間隔で並設されている。
【００３０】
紐掛け部１２ａ〜１２ｄは、円柱状の金属を反作業者側に屈曲させて成形した略Ｌ字形状の部材である。また、紐掛け部１２ａ〜１２ｄは、図２（ａ）に示すように、その最も高さの高い部位が第１の部材１１の上面１１ｅよりも上方へ突出しないように、第１の部材１１の凹部の底面１１ｄに設置されている。なお、紐掛け部１２ａ〜１２ｄの部位のうち第１の部材１１に埋没している部位には、図示しないテーパ状の雄ネジが切られており、紐掛け部１２ａ〜１２ｄは、この雄ネジによって第１の部材１１に取り付けられている。
【００３１】
第１の部材１１の他端側近傍の幅方向中央部には、キリ穴１１ａが開けられている。このキリ穴１１ａは、後述する固定具１４の雄ネジ部を挿入可能とするため、雄ネジ部の外径よりも大きい内径を有している。
【００３２】
また、第１の部材１１の下方には、後述する第２の部材１３の一部を収容するための収容空間１１ｇが形成されている。具体的にこの収容空間１１ｇは、第１の部材１１内に形成される長手方向の筒状空間となっており、いわゆるガイドレールとして機能する。この収容空間１１ｇの両側面には、第２の部材１３を第１の部材１１の長手方向に案内するためのガイド部１１ｂ、１１ｃが形成されている。このガイド部１１ｂ、１１ｃに、後述する第２の部材１３のガイド用溝１３ｇ、１３ｈが嵌め込まれることによって、第１の部材１１に対して第２の部材１３がスライド可能な構成となっている。
【００３３】
第２の部材１３は、一端にフック部１３ｆを有する平板状の部材である。また、この第２の部材１３の材質には、第１の部材１１と同様に、木材が使用されている。第２の部材１３のフック部１３ｆは、削り出しによって、作業者側に屈曲する略Ｌ字形状に成形されている。また、第２の部材１３の幅方向中央部には、後述する固定具１４の雄ネジが挿入される５つのネジ穴１３ａ〜１３ｅが、第２の部材１３の長手方向に略等間隔に開けられている。また、第２の部材１３の幅方向両側面には、第１の部材１１のガイド部１１ｂ、１１ｃに嵌め込まれるガイド用溝１３ｇ、１３ｈが長手方向に沿って設けられている。
【００３４】
固定具１４は、金属からなり、円板状の頭部と、雄ネジが切られている雄ネジ部と、から構成される。固定具１４の雄ネジ部は、第１の部材１１に設けられたキリ穴１１ａを通して、第２の部材１３に設けられた５つのネジ穴１３ａ〜１３ｅのいずれかに挿入・固定される。このような構成により、固定具１４は、第１の部材１１と第２の部材１３を、複数（本実施例では５つ）の相対位置で固定することが可能となっている。なお、図１においては、固定具１４をネジ穴１３ｃに挿入・固定しているが、第１の部材１１と第２の部材１３を他の相対位置で固定したい場合には、固定具１４をネジ穴１３ｃ以外のネジ穴（本実施例では、ネジ穴１３ａ、１３ｂ、１３ｄ、１３ｅのいずれか）に挿入・固定すればよい。
【００３５】
次に、本実施形態に係る草履編み台の作用を、使用方法に基づいて説明する。
【００３６】
図２(a)は、本実施形態に係る草履編み台の作業状態を示す側面図である。また、図２(ｂ)は、本実施形態に係る草履編み台の作業状態を示す正面図である。
【００３７】
まず初めに、作業者(図示省略)は、固定具１４の頭部を摘み、固定具１４の雄ネジ部を回転させながら第１の部材１１のキリ穴１１ａを通して第２の部材１３の５つのネジ穴１３ａ〜１３ｅのいずれか（図２に示す例ではネジ穴１３ｄ）に挿入・固定する。これにより、第１の部材１１は第２の部材１３に対して相対移動が不能となり、第１の部材１１と第２の部材１３が固定される。
【００３８】
次に、作業者は、作業台１５の一端側(図２の右側)に座り、第２の部材１３のフック部１３ｆを作業台１５の他端(図２の左側)に引っ掛けて第２の部材１３を作業台１５に固定する。続いて、作業者は、草履の材料である第１の紐１６を２本束ね、草履の形となるように紐掛け部１２ａ〜１２ｄに引っ掛ける。その後、第１の紐１６を手前に引っ張りながら、第２の紐１７を用いて草履を編んでいく。
【００３９】
なお、この作業の際、作業者と紐掛け部１２ａ〜１２ｄの間の距離が適当でない場合は、ネジ穴１３ｄに挿入・固定した固定具１４を他のネジ穴（この例では、ネジ穴１３ａ、１３ｂ、１３ｃ、１３ｅのいずれか）に挿入・固定し直し、作業者と紐掛け部１２ａ〜１２ｄの間の距離を調整する。例えば、紐掛け部１２ａ〜１２ｄの位置が作業者に近すぎる場合には、固定具１４をネジ穴１３ｄから外して第１の部材１１を作業者から遠ざける方向にスライドさせるとともに、固定具１４を、ネジ穴１３ｄよりも作業者から遠い位置に設けたネジ穴１３ｃに挿入・固定し直す。この結果、紐掛け部１２ａ〜１２ｄを作業者から遠ざけることができる。一方、紐掛け部１２ａ〜１２ｄの位置が作業者から遠すぎる場合には、固定具１４をネジ穴１３ｄから外して第１の部材１１を作業者に近づける方向にスライドさせるとともに、固定具１４を、ネジ穴１３ｄよりも作業者から近い位置に設けたネジ穴１３ｅに挿入・固定し直して紐掛け部１２ａ〜１２ｄを作業者に近づける。このように、作業者は、紐掛け部１２ａ〜１２ｄを各々が作業し易い位置に固定出来るように、第１の部材１１と第２の部材１３の相対位置を適宜調整すればよい。
【００４０】
作業が完了した場合、作業者は、固定具１４を第１の部材１１および第２の部材１３から外した後、第２の部材１３をスライドさせて第１の部材１１から完全に引き抜き、第２の部材１３の表裏を逆にする。すなわち、第２の部材１３を、フック部１３ｆを作業台１５側に向けた「使用状態」から、フック部１３ｆを反作業台側に向けた「未使用状態」に変更する。最後に、作業者は、未使用状態の第２の部材１３を、第１の部材１１下部に形成された収容空間１１ｇへ収納する。
【００４１】
図３は、本実施形態に係る草履編み台の収納状態を示す側面図である。図３に示すように、作業の完了後に第２の部材１３の表裏を逆にし（第２の部材１３を使用状態から未使用状態へ変更し）、未使用状態の第２の部材１３を第１の部材１１の収容空間１１ｇに収納することによって、第２の部材１３は、そのフック部１３ｆの最上面が第１の部材１１の上面１１ｅより上方に突出しないように第１の部材１１の収容空間１１ｇに収納される。
【００４２】
以上説明したように、本実施形態に係る草履編み台１０は、基台(本実施形態では、第１の部材ならびに第２の部材)１１ならびに１３と、基台１３の反作業者側に設けられ、作業台１５の端に引っ掛けられるフック部１３ｆと、基台１１の作業者側に設けられ、草履材料である紐(本実施形態では、第１の紐)１６が掛けられる紐掛け部１２ａ〜１２ｄと、を備えているため、編み台１０が作業台１５に固定され、作業性が向上する。また、作業者が椅子に座り、机上で作業が行えるようになるため、編み台を使用しない場合と比較して、作業者への負担が格段に軽減される。特に、フック部１３ｆが基台の反作業者側に配置されると共に、紐掛け部が基台の作業者側に配置されるので、作業台１５のできる限り手前側で作業を行うことができる。この結果、机の下方側に紐を引っ張りながら編むことができるので、作業者の負担が軽減される。
【００４３】
また、紐掛け部１２ａ〜１２ｄは、基台１１の反作業者側に突出する凸部を有しているため、作業中に第１の紐１６が外れにくくなり、さらに作業性が向上する。
【００４４】
また、紐掛け部１２ａ〜１２ｄは、基台１１の反作業者側に屈曲形成された略Ｌ字形状の先端部を有しているため、作業中に第１の紐１６が外れにくくなり、さらに作業性が向上する。
【００４５】
また、基台１１の上面１１ｅには凹部が形成され、凹部内に紐掛け部１２ａ〜１２ｄが配設されるため、凹部が形成されない場合と比較して、収納が容易となる。
【００４６】
また、紐掛け部１２ａ〜１２ｄが、基台１１の上面１１ｅから突出しないように凹部内に配設されているため、紐掛け部１２ａ〜１２ｄによる出っ張りがなくなり、さらに収納が容易となる。
【００４７】
また、基台１１ならびに１３が、紐掛け部１２ａ〜１２ｄを有する第１の部材１１と、フック部１３ｆを有して第１の部材１１に対して相対移動が可能な第２の部材１３と、を備えて構成され、更に、第１の部材１１と第２の部材１３を相対移動不能に固定する固定具１４を備えるため、作業者が、作業者の最も作業し易い位置を任意に選択出来るようになり、作業性が向上する。更に、作業台１５のサイズ変化に対して柔軟に対応することが可能になる。
【００４８】
また、固定具１４は、第１の部材１１と第２の部材１３を複数の相対位置で固定するため、作業者が、作業者の最も作業し易い位置を任意に選択出来るようになり、作業性が向上する。更に、作業台１５のサイズ変化に対して柔軟に対応することが可能になる。
【００４９】
また、第２の部材１３の少なくとも一部が、第１の部材１１に設けられた収容空間１１ｇに収納可能であるため、未使用状態時にコンパクトとなり、収納が容易となる。
【００５０】
また、第２の部材１３は、フック部１３ｆを作業台１５側に向けた使用状態と、フック部１３ｆを反作業台側に向けた未使用状態を切り替え可能となっているため、未使用状態時にさらにコンパクトになり、収納が容易となる。
【００５１】
また、未使用状態における第２の部材１３に配置されるフック部１３ｆが、第１の部材１１の上面１１ｅから突出しないため、フック部１３ｆによる出っ張りがなくなり、さらに収納が容易となる。
【００５２】
また、フック部１３ｆが、基台１３の作業者側に屈曲形成された略Ｌ字形状の先端部を有するため、作業台１５への引っ掛かりが良くなり、編み台がしっかり固定され、さらに作業性が向上する。
【００５３】
なお、本考案の草履編み台は、上記実施形態で示した構成に限定されるものではなく、本考案の要旨を逸脱しない範囲内において種々変更を加え得ることは勿論である。
【００５４】
図４は、他の実施形態に係る草履編み台２０の要部拡大図である。草履編み台２０のように、紐掛け部１２ａ〜１２ｄの少なくとも一部が、基台１１の反作業者側に傾斜されていれば、草履材料である紐１６が外れにくくなり、作業性が向上する。
【００５５】
また、上記実施形態では、第２の部材１３のガイド用溝１３ｇならびに１３ｈと第１の部材１１のガイド部１１ｂならびに１１ｃを用いて、第１の部材１１が第２の部材１３をガイドするように構成しているが、本考案はこれに限定されるものではなく、例えば、第１の部材１１の下面を閉塞し、第１の部材１１が第２の部材１３の全周を覆うような構成でガイドしても構わない。また、ガイド用溝１３ｇならびに１３ｈとガイド部１１ｂならびに１１ｃを設ける箇所も、他の位置としても構わないし、凸と凹を逆にしてもよい。更に、第２の部材１３における第１の部材１１とのスライド部分を軸部材とすることで、第２の部材１３が第１の部材１１に対して回動自在となるようにすることも好ましい。このようにすることで、フック部１３ｆの向きを使用状態と未使用状態に容易に切り替えることができる。
【００５６】
また、上記実施形態では、基台を２つの部材（第１の部材１１と第２の部材１３）で構成したが、本考案はこれに限定されるものではなく、例えば、第１の部材１１と第２の部材１３を一体化し、基台を１つの部材で構成してもよく、また、基台を３つ以上の部材で構成してもよい。
【００５７】
また、上記実施形態では、第１の部材１１は、長手方向の両側に段差を設け、中央部を凸形状としているが、本考案はこれに限定されるものではなく、例えば、第１の部材１１を、段差の無い平板状としてもよい。
【００５８】
また、上記実施形態では、第１の部材１１の材質を木材としているが、例えば、プラスチック等、他の材料を使用しても構わない。
【００５９】
また、上記実施形態では、紐掛け部１２ａ〜１２ｄを４つとしているが、３つまたは他の数にしてもよく、また、紐掛け部１２ａ〜１２ｄを略Ｌ字形状としているが、略Ｃ形状、略Ｊ形状等、他の形状にしてもよい。
【００６０】
また、上記実施形態では、紐掛け部１２ａ〜１２ｄの材質を金属としているが、プラスチック、木材等、他の材質としてもよい。また、紐掛け部１２ａ〜１２ｄと第１の部材１１をネジ止めとしているが、接着、圧入、またはこれらの組み合わせ等を用いてもよいし、削り出しの一体成形としても構わない。
【００６１】
また、上記実施形態では、第２の部材１３の材質を木材としているが、第１の部材１１と同様にプラスチック等、他の材料を使用しても構わない。
【００６２】
また、上記実施形態では、フック部１３ｆを略Ｌ字形状としたが、本考案はこれに限定されるものではなく、略Ｉ形状、略Ｃ形状、略Ｊ形状等、にしてもよく、作業台の形状に応じて適時最適な形状を選択すればよい。
【００６３】
また、上記実施形態では、固定具１４の材質を金属としたが、本考案はこれに限定されるものではなく、プラスチック、木材等、他の材質としてもよい。また、固定部１４の上部形状を円板としているが、略Ｔ字形状、等の他の形状にしてもよい。また、円板の外周上に滑り止め用のローレット加工を施してもよい。また、固定具の固定方式をネジ止めとしたが、単純にピンで固定してもよい。
【産業上の利用可能性】
【００６４】
本考案に係る草履編み台は、作業性が良好なため、初心者上級者を問わず、個人的な趣味で草履編みを楽しむ人はもちろんのこと、草履編み教室等でも広く利用することが可能である。また、本考案に係る草履編み台は、作業者への負担が少ないため、子供、老人または病人等の利用拡大が予測される。
【図面の簡単な説明】
【００６５】
【図１】本実施形態に係る草履編み台の全体構造詳細図である。
【図２】(ａ)本実施形態に係る草履編み台の作業状態を示す側面図である。(ｂ) 本実施形態に係る草履編み台の作業状態を示す平面図である。
【図３】本実施形態に係る草履編み台の収納状態を示す側面図である。
【図４】他の実施形態に係る草履編み台の要部拡大図である。
【符号の説明】
【００６６】
１０、２０…草履編み台
１１…第１の部材
１１ａ…キリ穴
１１ｂ、１１ｃ…ガイド部
１１ｄ、１１ｆ…凹部の底部
１１ｅ…第１の部材１１の上面
１１ｇ…収容空間
１２ａ〜１２ｄ…紐掛け部
１３…第２の部材
１３ａ〜１３ｅ…ネジ穴
１３ｆ…フック部
１３ｇ、１３ｈ…ガイド用溝
１４…固定具
１５…作業台
１６…第１の紐
１７…第２の紐
【図１】
0003137919.tif 000003
【図２】
0003137919.tif 000004
【図３】
0003137919.tif 000005
【図４】
0003137919.tif 000006